(57)【要約】【課題】配電自動化システムと接続することが不要な分散型電源用転送遮断システムを提供する。【解決手段】分散型電源用転送遮断システム１は、転送遮断信号伝送装置２、コンソールボックス３、変電所情報提供装置４、ＰＬＣモデム５、転送遮断装置６及び分散型電源７がネットワーク８を介して接続されて構成される。転送遮断信号伝送装置２は、変電所情報提供装置４から配電線ＣＢ・Ｒｙ情報を取得し、コンソールボックス３から配電系統情報を取得する。次に、配電線情報及び区間情報に基づいて、配電線ＣＢ遮断及び停電区間の発生によって転送遮断対象とすべき分散型電源７を認識し、記憶部に記憶しておく。そして、配電系統の事故が発生した場合に、記憶部に記憶された転送遮断対象とすべき分散型電源７に接続された転送遮断装置６に転送遮断信号を送出する。コンソールボックス３は、転送遮断信号伝送装置２の配電系統情報を更新するために用いられる。【選択図】図１
2008109735.tif 000002
【特許請求の範囲】
【請求項１】
変電所から送電を受けるとともに、分散型電源を接続する配電系統において事故が発生した場合に、前記変電所からの送電を遮断するとともに、前記分散型電源を転送遮断信号による遠隔制御で前記配電系統から解列させるようにした分散型電源用転送遮断システムであって、
前記転送遮断信号を送信する転送遮断信号伝送装置は、
少なくともフィーダ、該フィーダに接続される配電線の区間、該区間に接続される分散型電源、及び該分散型電源の遮断を行う転送遮断装置を特定する情報を含む配電系統情報を予め記憶する記憶部と、
前記配電系統の事故が発生した場合に、前記記憶部に記憶された配電系統情報を参照して、停電した配電線の区間に接続された分散型電源を特定し、特定した分散型電源の遮断を行う転送遮断装置に対して前記転送遮断信号を送出する処理部と、
を備えることを特徴とする分散型電源用転送遮断システム。
【請求項２】
請求項１に記載の分散型電源用転送遮断システムであって、
前記転送遮断信号伝送装置に接続されたコンソールボックスを備え、
該コンソールボックスは、外部から前記配電系統情報を取得し、取得した前記配電系統情報を前記転送遮断信号伝送装置に送信する配電系統情報更新部を備える
ことを特徴とする分散型電源用転送遮断システム。
【請求項３】
請求項２に記載の分散型電源用転送遮断システムであって、
前記コンソールボックスは、
前記転送遮断信号伝送装置から前記転送遮断信号伝送装置の故障情報を取得するとともに、前記転送遮断装置及び前記分散型電源から前記転送遮断信号伝送装置経由で前記転送遮断装置及び前記分散型電源の故障情報を取得し、取得した前記故障情報を表示部に表示するメンテナンス部
を備えることを特徴とする分散型電源用転送遮断システム。
【請求項４】
請求項２又は請求項３に記載の分散型電源用転送遮断システムであって、
前記コンソールボックスは、
前記分散型電源から前記転送遮断信号伝送装置経由で前記分散型電源の状態を取得し、取得した前記分散型電源の状態及びその状態の変化を前記配電系統の接続構成上に示したものを表示部に表示するとともに、前記表示部に表示された前記分散型電源に対するライトペンの操作に応じた前記分散型電源の入切制御の信号を、前記転送遮断信号伝送装置経由で前記分散型電源に送信する分散型電源管理部
を備えることを特徴とする分散型電源用転送遮断システム。
【発明の詳細な説明】
【技術分野】
【０００１】
本発明は、太陽発電装置などの分散型電源が多数並列されている変電所配下の配電系統にて地絡などの事故が発生した場合に、配電用変電所からの送電を遮断するとともに、上記分散型電源を転送遮断により上記配電系統から解列させるようにした分散型電源用転送遮断システムに関する。
【背景技術】
【０００２】
本願出願人は、配電系統に事故が発生したときに解列させる分散型電源を、そのときの系統状態に応じて必要最小限に抑えることができるようにした分散型電源用転送遮断システムについて既に出願している（特許文献１参照）。そのシステムにおいて、転送遮断信号伝送装置は、配電系統の状態を管理する配電自動化システム（特許文献１では、営業所のデータベースなど）から定期的に配電系統情報（分散型電源位置情報、柱上開閉器情報）を取得し、事故時に転送遮断対象となる分散型電源を自動認識して記憶しておく。そして、系統事故が発生した場合に、転送遮断対象として記憶されたすべての分散型電源に接続されたＰＬＣモデム付転送遮断装置に対して、転送遮断信号を送出することによって、分散型電源の単独運転を防止する仕組みになっている。
【特許文献１】特開２００５−１９８４４６号公報
【発明の開示】
【発明が解決しようとする課題】
【０００３】
しかしながら、特許文献１の分散型電源用転送遮断システムでは、転送遮断信号伝送装置と配電自動化システムとの間に通信インタフェースを構築する必要があるので、他社への分散型電源用転送遮断システムの普及が阻害されるおそれがある。
【０００４】
本発明は、上記課題を鑑みてなされたものであり、配電自動化システムと接続することが不要な分散型電源用転送遮断システムを提供することを主たる目的とする。
【課題を解決するための手段】
【０００５】
上記課題を解決するために、本発明は、変電所から送電を受けるとともに、分散型電源を接続する配電系統において事故が発生した場合に、前記変電所からの送電を遮断するとともに、前記分散型電源を転送遮断信号による遠隔制御で前記配電系統から解列させるようにした分散型電源用転送遮断システムであって、前記転送遮断信号を送信する転送遮断信号伝送装置が、少なくともフィーダ、該フィーダに接続される配電線の区間、該区間に接続される分散型電源、及び該分散型電源の遮断を行う転送遮断装置を特定する情報を含む配電系統情報を予め記憶する記憶部と、前記配電系統の事故が発生した場合に、前記記憶部に記憶された配電系統情報を参照して、停電した配電線の区間に接続された分散型電源を特定し、特定した分散型電源の遮断を行う転送遮断装置に対して前記転送遮断信号を送出する処理部とを備えることを特徴とする。
【０００６】
この構成によれば、転送遮断信号伝送装置を、リアルタイムに配電系統情報を配信する配電自動化システムに接続する必要がないので、配電自動化システムが異なる電力会社や配電自動化システムを持たない電力外業種の会社に対しても、容易にシステムの導入、普及を図ることができる。特に、配電自動化システムと無関係な上位の系統については、接続構成の変更がないので、一旦設定された系統情報で十分に対応可能である。
【０００７】
また、本発明は、分散型電源用転送遮断システムであって、前記転送遮断信号伝送装置に接続されたコンソールボックスを備え、該コンソールボックスが、外部から前記配電系統情報を取得し、取得した前記配電系統情報を前記転送遮断信号伝送装置に送信する配電系統情報更新部を備えることを特徴とする。  
この構成によれば、必要に応じてコンソールボックスを用いて、転送遮断信号伝送装置内の配電系統情報を更新することができる。また、ＧＰＩＢを用いるので、転送遮断信号伝送装置とコンソールボックスとを簡単に接続することができる。
【０００８】
また、本発明は、分散型電源用転送遮断システムであって、前記コンソールボックスが、前記転送遮断信号伝送装置から前記転送遮断信号伝送装置の故障情報を取得するとともに、前記転送遮断装置及び前記分散型電源から前記転送遮断信号伝送装置経由で前記転送遮断装置及び前記分散型電源の故障情報を取得し、取得した前記故障情報を表示部に表示するメンテナンス部を備えることを特徴とする。  
この構成によれば、表示された故障情報を参照して、転送遮断信号伝送装置、転送遮断装置及び分散型電源のメンテナンスを行うことができる。
【０００９】
また、本発明は、分散型電源用転送遮断システムであって、前記コンソールボックスが、前記分散型電源から前記転送遮断信号伝送装置経由で前記分散型電源の状態を取得し、取得した前記分散型電源の状態及びその状態の変化を前記配電系統の接続構成上に示したものを表示部に表示するとともに、前記表示部に表示された前記分散型電源に対するライトペンの操作に応じた前記分散型電源の入切制御の信号を、前記転送遮断信号伝送装置経由で前記分散型電源に送信する分散型電源管理部を備えることを特徴とする。  
この構成によれば、表示された配電系統の接続構成及び分散型電源の状態を参照して、オンラインで分散型電源を監視することができる。また、遠隔で分散型電源の入切を行うことができる。さらに、分散型電源の状態変化を参照して、今後の運用について検討することができる。
【００１０】
なお、その他、本願が開示する課題及びその解決方法は、発明を実施するための最良の形態の欄、及び図面により明らかにされる。
【発明の効果】
【００１１】
本発明によれば、配電自動化システムと接続することが不要な分散型電源用転送遮断システムを提供することができる。これによれば、異なる配電自動化システムを有する電力会社が、分散型電源用転送遮断システムを改造することなく使用できるので、当該システムの導入を促進することができる。また、配電自動化システムを有しない電力外業種の会社に対しても、当該システムの普及を図ることができる。
【発明を実施するための最良の形態】
【００１２】
以下、図面を参照しながら、本発明を実施するための最良の形態を説明する。本発明の実施の形態に係る分散型電源用転送遮断システムは、変電所から送電を受けるとともに、分散型電源を接続する配電系統において事故が発生した場合に、変電所からの送電を遮断するとともに、分散型電源を転送遮断信号による遠隔制御で配電系統から解列させるようにするものであり、転送遮断信号伝送装置が、予め設定された固定の配電系統情報に基づいて、配電系統の事故発生時に転送遮断対象とすべきであると認識された分散型電源に対して転送遮断信号を送信する。
【００１３】
≪システムの構成と概要≫
図１は、分散型電源用転送遮断システム１の構成を示す図である。分散型電源用転送遮断システム１は、転送遮断信号伝送装置２、コンソールボックス３、変電所情報提供装置４、ＰＬＣ（Power Line Communication：電力線通信）モデム５、ＰＬＣモデム付転送遮断装置（以下、転送遮断装置という）６及び分散型電源７がネットワーク８を介して接続されて構成される。なお、ＰＬＣモデム５、転送遮断装置６及び分散型電源７は、それぞれＰＬＣモデム５Ａと５Ｂ、転送遮断装置６Ａと６Ｂ及び分散型電源７Ａと７Ｂの総称である。
【００１４】
転送遮断信号伝送装置２は、電力会社の営業所に設置され、分散型電源用転送遮断システム１における中心的な役割を果たす。転送遮断信号伝送装置２に接続されたコンソールボックス３は、転送遮断信号伝送装置２の配電系統情報の更新や、転送遮断信号伝送装置２、転送遮断装置６及び分散型電源７のメンテナンス、分散型電源７の管理を行うために用いられる。コンソールボックス３は、必要に応じて転送遮断信号伝送装置２に接続され、使用される。
【００１５】
具体的には、転送遮断信号伝送装置２が、変電所情報提供装置４から配電線のＣＢ（Circuit Breaker：遮断器）やＲｙ（Relay：保護リレー）に関する情報を取得し、コンソールボックス３から配電系統情報（配電線の送電元フィーダを含む配電線情報、各分散型電源が接続されている配電線の区間情報及び停電区間情報）を取得する。なお、ＣＢやＲｙに関する情報（以下、ＣＢ・Ｒｙ情報という）とは、事故発生時に作動したＣＢ及びＲｙを示す情報である。転送遮断信号伝送装置２は、予め配電線系統情報を取得し、記憶部に記憶しておく。そして、配電系統の事故が発生した場合に、ＣＢ・Ｒｙ情報を取得し、取得したＣＢ・Ｒｙ情報及び記憶部に記憶された配電系統情報に基づいて、停電した配電線の区間に接続された分散型電源７を特定し、特定した分散型電源７の遮断を行う転送遮断装置６に対して転送遮断信号を送出する
変電所情報提供装置４は、変電所の配電線ＣＢ及びＲｙの接点に接続され、ＣＢ・Ｒｙ情報を転送遮断信号伝送装置２に直接送出する。
【００１６】
ＰＬＣモデム５は、配電線路が架空線の場合、柱上に設置され、転送遮断信号伝送装置２と転送遮断装置６との間の信号を電力線上などに搬送させることにより通信を行う。
【００１７】
転送遮断装置６は、需要家宅に設置される分散型電源７の系統並列用開閉器（以下、開閉器という）に接続される。転送遮断装置６は、営業所に設置された転送遮断信号伝送装置２から送られてくる転送遮断信号を受信すると、開閉器を遮断する。その後、転送遮断信号伝送装置２から送られてくる確認信号に対して、遮断が完了したことを示す応答信号（アンサーバック信号）を返信する。なお、開閉器の再投入は、分散型電源７自身の自動並列機能によって行う。また、転送遮断装置６は、ＴＣＰ／ＩＰ（Transmission Control Protocol/Internet Protocol）による通信機能も具備する。
【００１８】
分散型電源７は、需要家側に設置された、例えば、太陽光発電や風力発電などの自家発電電源であり、配電系統に接続される。その配電系統で事故が発生した場合には、分散型電源７が単独運転状態となることにより事故が拡大することが懸念される。その対策として転送遮断により分散型電源７を配電系統から切り離すことが有効である。具体的には、分散型電源７の開閉器を転送遮断装置６が遮断することによって、分散型電源７が配電系統から切り離される。
【００１９】
ネットワーク８は、転送遮断信号伝送装置２、変電所情報提供装置４及びＰＬＣモデム５を接続する通信網であり、ＶＰＮ（Virtual Private Network）などのＩＰ（Internet Protocol）網によって実現される。
【００２０】
≪装置の構成≫
図２は、転送遮断信号伝送装置２の構成を示す図である。転送遮断信号伝送装置２は、ハードウェアとして上位インタフェース部（処理部）２１、記憶部２２、子局インタフェース部（処理部）２３、記憶部２４、警報出力部２５及び警報表示部２６を備える。
【００２１】
上位インタフェース部２１は、コンソールボックス３及び変電所情報提供装置４に接続され、コンソールボックス３及び変電所情報提供装置４から情報を取得し、取得した情報に従って記憶部２２のデータを更新したり、子局インタフェース部２３に転送遮断装置６への転送遮断信号の送出を指示したり、警報出力部２５に警報表示部２６への警報出力を指示したりする。記憶部２２は、上位インタフェース部２１からデータを記憶したり、記憶したデータを読み出したりする。
【００２２】
子局インタフェース部２３は、上位インタフェース部２１の指示に従って、転送遮断装置６に転送遮断信号を送信したり、転送遮断装置６や分散型電源７に関するデータを受信して上位インタフェース部２１に渡したりする。記憶部２４は、子局インタフェース部２３からデータを記憶したり、記憶したデータを読み出したりする。
【００２３】
警報出力部２５は、上位インタフェース部２１の指示に従って、警報表示部２６に警報を出力する。警報表示部２６は、警報出力部２５の指示に従って、受けた警報を表示する。警報表示部２６は、１以上のＬＥＤ（Light Emitting Diode）及びその発光を制御する部分を含んで構成される。ここで、警報とは、例えばヘルスチェックによって検出された故障に関する警報などである。
【００２４】
なお、上位インタフェース部２１、子局インタフェース部２３及び警報出力部２５は、ＣＰＵ（Central Processing Unit）によって実現される。また、記憶部２２及び記憶部２４は、フラッシュメモリやハードディスク装置などの不揮発性記憶装置によって実現される。
【００２５】
上位インタフェース部２１は、ＧＰＩＢ通信制御部２１１、変電所通信制御部２１２、区間状態チェック部２１３、警報管理部２１４、メインデータ管理部２１５、ＣＰＵ間通信制御部２１６及び２１７を備える。ＧＰＩＢ通信制御部２１１は、ＧＰＩＢを介してコンソールボックス３と通信を行い、メインデータ管理部２１５との間でデータ（配電系統情報、転送遮断装置６や分散型電源７の状態など）の受け渡しを行う。変電所通信制御部２１２は、ＴＣＰ／ＩＰの通信手順に従って変電所情報提供装置４と通信を行い、メインデータ管理部２１５との間でデータ（ＣＢ・Ｒｙ情報など）の受け渡しを行う。区間状態チェック部２１３は、配電系統の状態が変化した場合に、コンソールボックス３から取得した配電線情報及び区間情報（配電系統情報）と、そのとき記憶部２２に記憶している配電線情報及び区間情報とを照合し、照合の結果として２組の情報が一致しなければ、その旨を警報管理部２１４及びメインデータ管理部２１５に通知する。警報管理部２１４は、区間状態チェック部２１３からの通知を受けて、ＣＰＵ間通信制御部２１６に警報出力部２５への警報通知を指示する。
【００２６】
メインデータ管理部２１５は、コンソールボックス３からの配電系統情報や、変電所情報提供装置４からのＣＢ・Ｒｙ情報を受けて、ＣＰＵ間通信制御部２１７に子局インタフェース部２３への転送遮断信号の送出依頼を指示する。また、メインデータ管理部２１５は、区間状態チェック部２１３からの通知を受けて、記憶部２２に記憶している配電線情報及び区間情報を新たに取得した配電線情報及び区間情報に更新する。ＣＰＵ間通信制御部２１６は、警報管理部２１４の指示に従って、警報出力部２５に警報を通知する。ＣＰＵ間通信制御部２１７は、メインデータ管理部２１５の指示に従って、子局インタフェース部２３に転送遮断信号の送出を依頼する。
【００２７】
なお、ＧＰＩＢ通信制御部２１１、変電所通信制御部２１２、区間状態チェック部２１３、警報管理部２１４、メインデータ管理部２１５、ＣＰＵ間通信制御部２１６及び２１７は、ＣＰＵが所定のメモリに格納されたプログラムを実行することによって実現される。
【００２８】
記憶部２２は、データとしてメインデータ２２１、変電所情報２２２及び警報情報２２３を含んで記憶する。メインデータ２２１は、コンソールボックス３から取得した配電系統に関するデータ（配電系統情報）であり、配電線情報や区間情報などである。その詳細は後記する。変電所情報２２２は、変電所情報提供装置４から取得したＣＢ・Ｒｙ情報などである。警報情報２２３は、区間状態チェック部２１３による区間情報の照合結果やその照合結果に応じて出力すべき警報などである。
【００２９】
子局インタフェース部２３は、ＣＰＵ間通信制御部２３１、転送遮断制御部２３２及び子局通信制御部２３３を備える。ＣＰＵ間通信制御部２３１は、上位インタフェース部２１からの転送遮断信号送出の依頼を受けて、転送遮断制御部２３２に通知する。転送遮断制御部２３２は、ＣＰＵ間通信制御部２３１からの通知を受けて、転送遮断信号を送出すべき転送遮断装置６のＩＤをＩＰアドレスに変換し、変換後のＩＰアドレスを子局通信制御部２３３に出力する。子局通信制御部２３３は、転送遮断制御部２３２からの出力を受けて、ＩＰアドレスに対応する転送遮断装置６に対して転送遮断信号を送出する。転送遮断信号の送出は、ＵＤＰ／ＩＰ（User Datagram Protocol/Internet Protocol）の通信手順に従って行われるものとする。
【００３０】
なお、ＣＰＵ間通信制御部２３１、転送遮断制御部２３２及び子局通信制御部２３３は、ＣＰＵが所定のメモリに格納されたプログラムを実行することによって実現される。
【００３１】
記憶部２４は、データとして制御情報２４１及び子局情報２４２を含んで記憶する。制御情報２４１は、転送遮断処理中（一斉解列指令〜ポーリング完了）の分散型電源７を登録したテーブルなどである。子局情報２４２は、転送遮断装置（子局）６に関する情報であり、例えば、転送遮断装置６のＩＤとＩＰアドレスとの対応関係を示す情報などである。
【００３２】
警報出力部２５は、ＣＰＵ間通信制御部２５１、警報出力制御部２５２及びＤ１／Ｄ０制御部２５３を備える。ＣＰＵ間通信制御部２５１は、上位インタフェース部２１からの警報通知を受けて、警報出力制御部２５２に渡す。警報出力制御部２５２は、ＣＰＵ間通信制御部２５１からの警報通知を受けて、警報表示部２６のＬＥＤに直結するデータレジスタのビットの操作手順をＤ１／Ｄ０制御部２５３に指示する。Ｄ１／Ｄ０制御部２５３は、警報出力制御部２５２から指示された操作手順に従って、ＣＰＵが備えるデータレジスタのうち、所定のビットに０又は１をライト（WRITE）することによって、警報表示部２６のＬＥＤの表示を制御する。
【００３３】
なお、ＣＰＵ間通信制御部２５１、警報出力制御部２５２及びＤ１／Ｄ０制御部２５３は、ＣＰＵが所定のメモリに格納されたプログラムを実行することによって実現される。
【００３４】
図３は、コンソールボックス３のハードウェア構成を示す図である。コンソールボックス３は、表示部３１、操作部３２、処理部３３、ＧＰＩＢ接続部３４、記憶部３５及び媒体入出力部３６を備える。表示部３１は、配電系統の接続構成や各装置及び分散型電源の状態などを表示するものであり、走査線方式のディスプレイなどによって実現される。操作部３２は、営業所のオペレータが配電系統情報を入力したり、各装置及び分散型電源の状態の表示を指示したりするためのものであり、キーボードやライトペンなどによって実現される。処理部３３は、コンソールボックス３全体を制御するものであり、ＣＰＵなどによって実現される。ＧＰＩＢ接続部３４は、ＧＰＩＢを接続することによってコンソールボックス３と、転送遮断信号伝送装置２とを通信可能にするものであり、ＧＰＩＢインタフェースボードなどによって実現される。記憶部３５は、処理部３３からの指示に従ってデータを記憶したり、記憶したデータを読み出したりするものであり、フラッシュメモリやハードディスク装置などの不揮発性記憶装置によって実現される。媒体入出力部３６は、外部の記憶媒体との間でデータの入出力を行うためのものであり、ＣＤ（Compact Disc）ドライブやＤＶＤ（Digital Versatile Disk）ドライブなどによって実現される。
【００３５】
図４は、コンソールボックス３の処理部３３の機能構成を示す図である。処理部３３は、全体制御部３３１、配電系統情報更新部３３２、メンテナンス部３３３及び分散型電源管理部３３４を備える。全体制御部３３１は、発生したイベント（例えば、操作部３２を介した配電系統情報の取得やＧＰＩＢ接続部３４を介した分散型電源の状態の取得など）に応じて、処理部３２内の他の各部を起動することによって、処理部３２全体の処理の流れを制御する。また、表示部３１、操作部３２、ＧＰＩＢ接続部３４、記憶部３５及び媒体入出力部３６、処理部３３内の他の各部の間のインタフェースを制御することによって、メッセージやデータの受け渡しを行う。全体制御部３３１は、いわゆるカーネル又はスケジューラと呼ばれるプログラムモジュールである。
【００３６】
配電系統情報更新部３３２、メンテナンス部３３３及び分散型電源管理部３３４の各部は、全体制御部３３１による制御の下で動作することによって、コンソールボックス３の具体的な機能を実現するプログラムモジュールである。配電系統情報更新部３３２は、操作部３２又は媒体入出力部３６にセットされた記憶媒体から配電系統情報を取得し、取得した配電系統情報をＧＰＩＢ経由で転送遮断信号伝送装置２に送信する。メンテナンス部３３３は、転送遮断信号伝送装置２からＧＰＩＢ経由で転送遮断信号伝送装置２の故障情報を取得するとともに、転送遮断装置６及び分散型電源７から転送遮断信号伝送装置２及びＧＰＩＢ経由で転送遮断装置６及び分散型電源７の故障情報を取得し、取得した故障情報を表示部３１に表示する。分散型電源管理部３３４は、分散型電源７から転送遮断信号伝送装置２及びＧＰＩＢ経由で分散型電源７の状態を取得し、取得した分散型電源７の状態及びその状態の変化を配電系統の接続構成上に示したものを表示部３１に表示するとともに、表示部３１に表示された分散型電源７に対するライトペンの操作に応じた分散型電源７の入切制御の信号を、ＧＰＩＢ及び転送遮断信号伝送装置２経由で分散型電源７に送信する。
【００３７】
≪データの構成≫
図５は、転送遮断信号伝送装置２の記憶部２２に記憶されるデータの構成例を示す図である。図５（ａ）は、メインデータ２２１の構成例を示す。メインデータ２２１は配電系統情報２２４からなり、配電系統情報２２４は配電線情報２２５及び区間情報２２６からなる。配電線情報２２５は、配電系統である配電線のフィーダ及び区間に関する情報である。区間情報２２６は、配電線の区間ごとに接続される分散型電源に関する情報である。
【００３８】
図５（ｂ）は、配電線情報２２５の構成例を示す。配電線情報２２５は、変電所ＩＤ２２５１、フィーダＩＤ２２５２及び区間ＩＤ２２５３を含むレコードから構成される。変電所ＩＤ２２５１は、電力会社が管轄する変電所に固有の番号である。フィーダＩＤ２２５２は、変電所ＩＤ２２５１が示す変電所に設置されたフィーダに固有の番号である。区間ＩＤ２２５３は、フィーダＩＤ２２５２が示すフィーダに接続される配電線の各区間に固有の番号である。図５（ｂ）によれば、例えば、変電所Ａには、送電元になるフィーダＡ１及びＡ２が設置される。フィーダＡ１には、区間Ａ１１、Ａ１２及びＡ１３からなる配電線が接続される。フィーダＡ２には、区間Ａ２１及びＡ２２からなる配電線が接続される。
【００３９】
図５（ｃ）は、区間情報２２６の構成例を示す。区間情報２２６は、区間ＩＤ２２６１、分散型電源ＩＤ２２６２、位置情報２２６３及び転送遮断装置ＩＤ２２６４を含むレコードから構成される。区間ＩＤ２２６１は、配電線の各区間に固有の番号である。分散型電源ＩＤ２２６２は、区間ＩＤ２２６１が示す区間に接続される分散型電源に固有の番号である。位置情報２２６３は、分散型電源ＩＤ２２６２が示す分散型電源の位置を示す情報であり、例えば、緯度及び経度である。転送遮断装置ＩＤ２２６４は、分散型電源ＩＤ２２６２が示す分散型電源の遮断を行う転送遮断装置に固有の番号である。図５（ｃ）によれば、区間Ａ１１には、電源Ａ１１１、Ａ１１２及びＡ１１３が接続されている。装置Ｚ１は、電源Ａ１１１を遮断する。装置Ｚ２は、電源Ａ１１２及びＡ１１３を遮断する。
【００４０】
≪システムの処理≫
続いて、分散型電源用転送遮断システムの処理について説明する。図６は、分散型電源用転送遮断システム１による転送遮断処理を示すフローチャートである。
【００４１】
まず、転送遮断信号伝送装置２が、コンソールボックス３から配電線情報及び区間情報（配電系統情報）を取得し、取得した配電線情報及び区間情報に従って記憶部２２にメインデータ２２１を構築する（Ｓ６０１）。この場合、コンソールボックス３では、配電系統情報更新部３３２が、操作部３２又は媒体入出力部３６を介して配電系統情報を取得し、取得した配電系統情報をＧＰＩＢ接続部３４経由で転送遮断信号伝送装置２に送信する。操作部３２を介する場合には、営業所のオペレータが操作部３２を用いて入力した配電系統情報を取得する。一方、媒体入出力部３６を介する場合には、営業所のオペレータが記憶媒体（ＣＤ、ＤＶＤなど）を媒体入出力部３６にセットすることで、事前にＰＣ（Personal Computer）などにより記憶媒体に格納された配電系統情報を取得する。なお、媒体入出力部３６を介して取得した配電系統情報を表示部３１に表示し、表示した配電系統情報をさらに営業所のオペレータが操作部３２により編集したものを取得してもよい。
【００４２】
続いて、転送遮断信号伝送装置２では、上位インタフェース部２１のＧＰＩＢ通信制御部２１１が、コンソールボックス３からＧＰＩＢ経由で配電系統情報を受信し、メインデータ管理部２１５に渡す。メインデータ管理部２１５は、ＧＰＩＢ通信制御部２１１から配電系統情報を受けて、記憶部２２にメインデータ２２１として記憶する。メインデータ２２１の記憶形式は、図５に示した通りである。
【００４３】
なお、配電系統の状態の変化があったときに、転送遮断信号伝送装置２が、コンソールボックス３から配電線情報及び区間情報の変更内容を取得し、転送遮断信号伝送装置２内に記憶されたメインデータ２２１を更新してもよい。配電系統の状態の変化には、例えば、配電線に関する作業のために臨時に送電元であるフィーダが変わったり、分散型電源の位置が変わったりすることが考えられる。
【００４４】
次に、転送遮断信号伝送装置２が、変電所情報提供装置４からＣＢ・Ｒｙ情報が送信されてきたか否かをチェックする（Ｓ６０２）。この場合、変電所通信制御部２１２が、変電所情報提供装置４からＣＢ・Ｒｙ情報を受信しているか否かを確認する。送信されてきていなければ（Ｓ６０２のＮＯ）、再びＣＢ・Ｒｙ情報のチェックを行う（Ｓ６０２）。送信されてきていれば（Ｓ６０２のＹＥＳ）、次に説明する転送遮断信号の送信処理を行う。
【００４５】
転送遮断信号伝送装置２が、変電所情報提供装置４から送信されてきたＣＢ・Ｒｙ情報（事故配電線情報）を受信し、記憶部２２のメインデータ２２１から、停電となったフィーダを送電元とする区間を検索し、当該区間に繋がる分散型電源を抽出する（Ｓ６０３）。図５を参照して説明すると、メインデータ管理部２１５が、まず、図５（ｂ）の配電線情報２２５から、停電となったフィーダのＩＤ２２５２に送電を受けている区間ＩＤ２２５３を検索する。例えば、フィーダＡ１が停電になった場合には、区間Ａ１１、Ａ１２及びＡ１３が該当する。次に、図５（ｃ）の区間情報２２６から、該当した区間ＩＤ２２６１に接続される分散型電源のＩＤ２２６２を抽出する。例えば、区間Ａ１１に対しては、電源Ａ１１１、Ａ１１２及びＡ１１３が抽出される。
【００４６】
続いて、転送遮断信号伝送装置２が、抽出した分散型電源に接続される転送遮断装置に向けて転送遮断信号を一斉に送信する（Ｓ６０４）。この場合、まず、メインデータ管理部２１５が、図５（ｃ）の区間情報２２６から、抽出した分散型電源のＩＤ２２６２を遮断する転送遮断装置のＩＤ２２６４を取得する。例えば、電源Ａ１１１に対しては、装置Ｚ１を取得する。また、電源Ａ１１２及びＡ１１３に対しては、装置Ｚ２を取得する。そして、メインデータ管理部２１５が、取得したＩＤの転送遮断装置に転送遮断信号を送信する指示を、ＣＰＵ間通信制御部２１７経由で子局インタフェース部２３に送信する。子局インタフェース部２３では、転送遮断制御部２３２が、上位インタフェース部２１からＣＰＵ通信制御部２３１の受信した転送遮断装置ＩＤを子局情報２４２に従ってＩＰアドレスに変換する。次に、子局通信制御部２３３が、変換後のＩＰアドレスの転送遮断装置６に転送遮断信号を送信する。そして、転送遮断制御部２３２が、転送遮断処理中の分散型電源７のＩＤを制御情報２４１に登録する。
【００４７】
一方、転送遮断信号伝送装置２から転送遮断信号を受信した転送遮断装置６は、遮断すべき分散型電源７に接続される開閉器に向けて開閉器切信号を送出し、その後開閉器切を確認する（Ｓ６０５）。開閉器切を確認した後、転送遮断信号に対する応答として、転送遮断信号伝送装置２に対してアンサーバック信号を送信する。これに対して、転送遮断信号伝送装置２では、メインデータ管理部２１５が、転送遮断装置６からのアンサーバック信号をポーリングし、受信したアンサーバック信号の送信元である転送遮断装置６をチェックすることによって、抽出した分散型電源がすべて解列したか否かを確認する（Ｓ６０６）。
【００４８】
抽出した分散型電源のうち、解列していないものがあれば（Ｓ６０７のＹＥＳ）、転送遮断信号伝送装置２が、解列していない分散型電源に接続される転送遮断装置６に向けて転送遮断信号を送信する（Ｓ６０８）。これに対して、転送遮断信号を受信した転送遮断装置６が処理を行う（Ｓ６０５）。抽出した分散型電源のうち、解列していないものがなければ（Ｓ６０７のＮＯ）、転送遮断信号の送信処理が完了したものとして、再びＣＢ・Ｒｙ情報のチェックを行う（Ｓ６０２）。
【００４９】
図７は、分散型電源用転送遮断システム１による故障情報の取得処理を示すフローチャートである。まず、コンソールボックス３が親局（転送遮断信号伝送装置２）の故障情報を転送遮断信号伝送装置２に対して要求する（Ｓ７０１）。この場合、コンソールボックス３では、メンテナンス部３３３が、営業所のオペレータが操作部３２を介して入力した要求メッセージを取得して、ＧＰＩＢ接続部３４経由で転送遮断信号伝送装置２に送信する（Ｓ７０４、Ｓ７０７も同様）。転送遮断信号伝送装置２は、コンソールボックス３からの要求メッセージを受けて、自ら（親局）の故障情報を取得し、コンソールボックス３に送信する（Ｓ７０２）。コンソールボックス３は、転送遮断信号伝送装置２から親局の故障情報を受信し、表示する（Ｓ７０３）。この場合、コンソールボックス３では、メンテナンス部３３３が、ＧＰＩＢ接続部３４経由で親局の故障情報を取得し、表示部３１に表示する（Ｓ７０６、Ｓ７０９も同様）。
【００５０】
次に、コンソールボックス３が子局（転送遮断装置６）の故障情報を転送遮断信号伝送装置２に対して要求する（Ｓ７０４）。転送遮断信号伝送装置２は、受けた要求メッセージを転送遮断装置６に転送する。転送遮断装置３は、転送遮断信号伝送装置２からの要求メッセージを受けて、自ら（子局）の故障情報を取得し、転送遮断信号伝送装置２に送信する（Ｓ７０５）。転送遮断信号伝送装置２は、受信した子局の故障情報をコンソールボックス３に転送する。コンソールボックス３は、転送遮断信号伝送装置２から子局の故障情報を受信し、表示する（Ｓ７０６）。
【００５１】
続いて、コンソールボックス３が電源（分散型電源７）の故障情報を転送遮断信号伝送装置２に対して要求する（Ｓ７０７）。転送遮断信号伝送装置２は、受けた要求メッセージを分散型電源７に転送する。分散型電源７は、転送遮断信号伝送装置２からの要求メッセージを受けて、自ら（電源）の故障情報を取得し、転送遮断信号伝送装置２に送信する（Ｓ７０８）。転送遮断信号伝送装置２は、受信した電源の故障情報をコンソールボックス３に転送する。コンソールボックス３は、転送遮断信号伝送装置２から電源の故障情報を受信し、表示する（Ｓ７０９）。なお、電源の故障情報を取得する場合には、転送遮断信号伝送装置２から転送遮断装置６を介して分散型電源７に故障情報を要求してもよいし、転送遮断装置６に要求して分散型電源７の故障情報を取得させてもよい。
【００５２】
図８は、分散型電源用転送遮断システム１による分散型電源の監視及び制御の処理を示すフローチャートである。まず、コンソールボックス３が電源（分散型電源７）の状態情報を転送遮断信号伝送装置２に対して要求する（Ｓ８０１）。この場合、コンソールボックス３では、分散型電源管理部３３４が、営業所のオペレータが操作部３２を介して入力した要求メッセージを取得して、ＧＰＩＢ接続部３４経由で転送遮断信号伝送装置２に送信する（Ｓ８０６も同様）。転送遮断信号伝送装置２は、受けた要求メッセージを分散型電源７に転送する。分散型電源７は、転送遮断信号伝送装置２からの要求メッセージを受けて、自ら（電源）の状態情報を取得し、転送遮断信号伝送装置２に送信する（Ｓ８０２）。転送遮断信号伝送装置２は、受信した電源の状態情報をコンソールボックス３に転送する。
【００５３】
コンソールボックス３は、転送遮断信号伝送装置２から電源の状態情報を受信し、表示する（Ｓ８０３）。この場合、コンソールボックス３では、分散型電源管理部３３４が、ＧＰＩＢ接続部３４経由で電源の状態情報を取得し、表示部３１に表示する（Ｓ８０９も同様）。なお、電源の状態情報を表示部３１に表示する際には、配電系統の接続構成を表示した上に重ねて表示するようにしてもよい。また、電源の状態情報を受信するごとに記憶部３５に記憶しておき、所定の電源について状態の変化（履歴）を表示する（Ｓ８０４）。
【００５４】
さらに、コンソールボックス３は、ライトペンの操作を認識した（Ｓ８０５）場合には、そのライトペンの操作に応じた電源の入切信号を転送遮断信号伝送装置２に送信する（Ｓ８０６）。例えば、表示部３１に表示された分散型電源がライトペンによって接触された場合には、その分散型電源の現在の状態（入／切）を変更するような入切信号を送信することが考えられる。転送遮断信号伝送装置２は、受信した入切信号を分散型電源７に転送する。分散型電源７は、転送遮断信号伝送装置２からの入切信号を受けて、受けた入切信号に従って自ら（電源）の入切動作を行う（Ｓ８０７）。そして、自ら（電源）の状態情報を取得し、転送遮断信号伝送装置２に送信する（Ｓ８０８）。転送遮断信号伝送装置２は、受信した電源の状態情報をコンソールボックス３に転送する。コンソールボックス３は、転送遮断信号伝送装置２から電源の状態情報を受信し、表示する（Ｓ８０９）。
【００５５】
なお、電源の状態情報を取得したり、入切信号を送信したりする場合には、転送遮断信号伝送装置２から転送遮断装置６を介して分散型電源７にアクセスしてもよいし、転送遮断装置６に要求して分散型電源７を制御させてもよい。
【００５６】
以上本発明の実施の形態について説明したが、図１に示す分散型電源用転送遮断システム１内の各装置を機能させるために、各装置の処理部（ＣＰＵ）で実行されるプログラムをコンピュータにより読み取り可能な記録媒体に記録し、その記録したプログラムをコンピュータに読み込ませ、実行させることにより、本発明の実施の形態に係る分散型電源用転送遮断システム１が実現されるものとする。なお、プログラムをインターネットなどのネットワーク経由でコンピュータに提供してもよいし、プログラムが書き込まれた半導体チップなどをコンピュータに組み込んでもよい。
【００５７】
以上説明した本発明の実施の形態によれば、転送遮断信号伝送装置２を、リアルタイムに配電系統情報を配信する配電自動化システムに接続する必要がない。従って、従来、配電自動化システムの仕様が異なる電力会社に分散型電源用転送遮断システムを導入する場合には、転送遮断信号伝送装置２の上部インタフェース部２１を改造する必要があり、余分な労力や費用がかかっていたが、本発明によれば、配電自動化システムの仕様が異なる電力会社も、分散型電源用転送遮断システム１を改造することなく、使用できるので、その導入が促進される。
【００５８】
また、従来、ガス会社などの電力外業種の会社は、配電自動化システム自体を有しておらず、何らかの方法で配電系統情報を入手しなければ、分散型電源用転送遮断システムを使用することができなかったが、本発明によれば、配電自動化システムが不要なので、電力外業種の会社にも分散型電源用転送遮断システム１の普及を図ることができる。
【００５９】
さらに、配電自動化システムと無関係な上位の系統については、接続構成の変更がないので、一旦設定された系統情報で十分に対応可能である。例えば、従来、特別高圧・高圧の発電機を使用する場合には、変電所から発電機まで転送遮断信号用の伝送路を確保するために、専用の通信線を引いている箇所もあり、高コストになっていたが、本発明によれば、特別高圧・高圧の発電機が接続されている系統は、変更がほとんどないので、配電自動化システムに接続することなく、既存のインフラを活用して分散型電源用転送遮断システム１を利用することができ、コスト低減を図ることができる。
【００６０】
次に、必要に応じてコンソールボックス３を用いて、転送遮断信号伝送装置２の記憶部２２に記憶された配電系統情報２２４（配電線情報２２５及び区間情報２２６）を更新することができる。そして、ＧＰＩＢを用いるので、転送遮断信号伝送装置２とコンソールボックス３とを簡単に接続することができる。
【００６１】
さらに、表示された故障情報を参照して、転送遮断信号伝送装置２、転送遮断装置６及び分散型電源７のメンテナンスを行うことができる。また、表示された配電系統の接続構成及び分散型電源７の状態を参照して、オンラインで分散型電源７を監視することができる。また、遠隔で分散型電源７の入切を行うことができる。そして、分散型電源７の状態変化を参照して、今後の運用について検討することができる。
【００６２】
以上、本発明を実施するための最良の形態について説明したが、上記実施の形態は本発明の理解を容易にするためのものであり、本発明を限定して解釈するためのものではない。本発明はその趣旨を逸脱することなく変更、改良され得るとともに、本発明にはその等価物も含まれる。
【図面の簡単な説明】
【００６３】
【図１】分散型電源用転送遮断システム１の構成を示す図である。
【図２】転送遮断信号伝送装置２の構成を示す図である。
【図３】コンソールボックス３のハードウェア構成を示す図である。
【図４】コンソールボックス３の処理部３３の機能構成を示す図である。
【図５】転送遮断信号伝送装置２の記憶部２２に記憶されるデータの構成例を示す図であり、（ａ）はメインデータ２２１の構成例を示し、（ｂ）は配電線情報２２５の構成例を示し、（ｃ）は区間情報２２６の構成例を示す。
【図６】分散型電源用転送遮断システム１による転送遮断処理を示すフローチャートである。
【図７】分散型電源用転送遮断システム１による故障情報の取得処理を示すフローチャートである。
【図８】分散型電源用転送遮断システム１による分散型電源の監視及び制御の処理を示すフローチャートである。
【符号の説明】
【００６４】
１  分散型電源用転送遮断システム
２  転送遮断信号伝送装置
２１  上位インタフェース部（処理部）
２２  記憶部
２２１  メインデータ
２３  子局インタフェース部（処理部）
２４  記憶部
２４１  制御情報
３  コンソールボックス
３１  表示部
３２  操作部
３３２  配電系統情報更新部
３３３  メンテナンス部
３３４  分散型電源管理部
４  変電所情報提供装置
５、５Ａ、５Ｂ  ＰＬＣモデム
６、６Ａ、６Ｂ  ＰＬＣモデム付転送遮断装置（転送遮断装置）
７、７Ａ、７Ｂ  分散型電源
８  ネットワーク
【図１】
2008109735.tif 000003
【図２】
2008109735.tif 000004
【図３】
2008109735.tif 000005
【図４】
2008109735.tif 000006
【図５】
2008109735.tif 000007
【図６】
2008109735.tif 000008
【図７】
2008109735.tif 000009
【図８】
2008109735.tif 000010